(57)【要約】【課題】デッドボルト先端角部が、角状の係止穴の縁部に噛み、扉の開放が不能となる事態が防止できるストライク構造を提供する。【解決手段】扉に設けられた錠箱から進出するデッドボルトを進入させる係止穴４９の穿設された係止板部５１が扉枠から浮上するように嵩上げされ、外力によって係止板部５１が扉枠に接近する方向に変形可能なストライク構造であって、デッドボルトの先端面と、このデッドボルトの扉開放側の側面とに挟まれる先端角部の摺接する滑りガイド手段８１を、側面に対向する係止穴４９の縁部４９ａに設けた。【選択図】      図１
2007321502.tif 000002
【特許請求の範囲】
【請求項１】
扉に設けられた錠箱から進出するデッドボルトを進入させる係止穴の穿設された係止板部が扉枠から浮上するように嵩上げされ、外力によって前記係止板部が前記扉枠に接近する方向に変形可能なストライク構造であって、
前記デッドボルトの先端面と、該デッドボルトの扉開放側の側面とに挟まれる先端角部の摺接する滑りガイド手段が、前記側面に対向する前記係止穴の縁部に設けられたことを特徴とするストライク構造。
【請求項２】
前記滑りガイド手段が、前記係止穴の縁部から該係止穴の奥側へ連設された凸湾曲部であることを特徴とする請求項１記載のストライク構造。
【請求項３】
前記滑りガイド手段が、前記係止穴の縁部から該係止穴の奥側へ連設された傾斜部であることを特徴とする請求項１記載のストライク構造。
【請求項４】
前記滑りガイド手段が、前記係止穴の縁部から延出延出させた舌片部を該係止穴の奥側へ折り曲げた切り起こし片からなることを特徴とする請求項２又は３記載のストライク構造。
【発明の詳細な説明】
【技術分野】
【０００１】
本発明は、解錠時におけるデッドボルトの引き残しによる解錠障害を解消するストライク構造に関し、特に、デッドボルトを進入させる係止板部が外力によって扉枠に接近する方向に変形可能なストライク構造に用いて好適なものである。
【背景技術】
【０００２】
一般に、マンションなどにおいては、ドア枠に錠受を取付け、この錠受にドア側に設けた施解錠装置のデッドボルトを進退係脱させることにより、施錠や解錠を行う。近年では、地震などの災害発生時にドアを確実に開放させて室外への避難を可能とするため、ドアとドア枠の間に所定のクリアランス（１３ｍｍ程度）を設けている。地震発生時には、ドア枠周辺の壁が破壊され、ドア枠が変形してドアに接触する外力が発生するので、錠受は、所定以上の外力が加えられたとき、上記クリアランスが確保される方向に変形可能とする必要がある。このように、所定以上の外力が発生したとき、錠受を変形させると、ドア枠とドアの間に所定の隙間を確保でき、しかも錠受の係止孔に係止されているドア側のデッドボルトを離脱させることもできるので、ドアの開放が補償されて室外への避難が容易となる。
【０００３】
従来では、例えば図１０に示すようなドア用錠受１を用いている。この錠受１は、デッドボルトの係止孔３を形成した本体壁部５と、その上下両側に一体に設けた連結片７，７と、これら連結片７を介して本体壁部５と平行な段状に形成され、ドア枠９の内側面に固定する固定片１１，１１とを備えており、これらは鋼板をプレス加工して形成される。そして、ドア枠９の内面に各固定片１１を固定ビスなどで固定して、本体壁部５の係止孔３にドア側のデッドボルトを係脱させることにより施錠や解錠を行う。
【０００４】
このドア用錠受１によれば、地震発生時に、ドア枠周辺の壁が破壊され、ドア枠が変形してドアに接触する外力が発生すると、本体壁部５が例えばドア木口に表出する錠箱フロントパネルに押しつけられ、連結片７，７の傾斜角度が小さくなる方向に潰れ、ドア用錠受１が大きな力によってドアに接触し、ドアの開放が不能となる事態を回避できる。このような効果は、ドア用錠受１がドアの室内面に取り付けられる面付け錠タイプの場合においても同様に得ることができる。
【特許文献１】特開平１１−６２３３７号公報
【発明の開示】
【発明が解決しようとする課題】
【０００５】
ところで、錠箱から進退作動されるデッドボルトは、錠箱内部に設けられる施解錠機構の作動誤差や、扉の開放動作と略同時に行われる解錠操作（デッドボルトの後退操作）等によって、錠箱内へ完全に後退しないまま先端角部が僅かに突出状態で残る所謂「引き残り」の発生する場合がある。このような引き残りが発生すると、従来の係止穴は、所定厚さのステンレス鋼板などの金属板よりなる係止板部に単に穿設した四角穴であるため、デッドボルト先端角部が、係止穴縁部に噛み、扉を開けることも、デッドボルトを後退させることもできなくなり、特に、地震等災害発生時等では、扉の開放が不能となることでパニックに陥る虞もあった。また、このような引き残りによるデッドボルト先端角部と係止穴の縁部との噛み込みが生じると、折角、係止板部が扉枠に接近可能に構成されたストライク構造であっても、係止板部が有効に変形しない問題が生じた。
【０００６】
本発明は上記状況に鑑みてなされたもので、デッドボルト先端角部が、係止穴の縁部に噛み、扉の開放が不能となる事態が防止できるストライク構造を提供し、もって、緊急時の解錠動作に伴う、扉開放性能の信頼性向上を図ることを目的とする。
【課題を解決するための手段】
【０００７】
次に、上記の課題を解決するための手段を、実施の形態に対応する図面を参照して説明する。
本発明の請求項１記載のストライク構造は、扉９１に設けられた錠箱から進出するデッドボルト４７を進入させる係止穴４９の穿設された係止板部５１が扉枠２５から浮上するように嵩上げされ、外力によって前記係止板部５１が前記扉枠２５に接近する方向に変形可能なストライク構造であって、
前記デッドボルト４７の先端面４７ａと、該デッドボルト４７の扉開放側の側面４７ｂとに挟まれる先端角部４７ｃの摺接する滑りガイド手段８１が、前記側面４７ｂに対向する前記係止穴４９の縁部４９ａに設けられたことを特徴とする。
【０００８】
このストライク構造では、例えば地震発生時等、緊急に解錠と扉開放とが行われ、仮に僅かにデッドボルト４７の引き残りが発生していても、引き残りデッドボルト４７の先端角部４７ｃが扉開動力によって、扉の開放方向に位置する滑りガイド手段８１に押圧される。これにより、係止板部５１は扉枠２５に接近する方向へ変位が促され、すなわち扉枠２５との間隔を拡げるとともに、デッドボルト４７は錠箱内へ後退する方向へ押し込められることにもなる。したがって、従来のようにデッドボルト先端角部４７ｃが、角状の係止穴の縁部に噛み、扉９１の開放が不能となる事態が発生しない。
【０００９】
請求項２記載のストライク構造は、前記滑りガイド手段８１が、前記係止穴４９の縁部４９ａから該係止穴４９の奥側へ連設された凸湾曲部８３であることを特徴とする。
【００１０】
このストライク構造では、引き残りとなったデッドボルト４７の先端角部４７ｃが、凸湾曲部（Ｒ部）８３に押圧されることで、滑りガイド手段８１が傾斜面である場合よりも円滑な先端角部４７ｃの滑りが可能となる。
【００１１】
請求項３記載のストライク構造は、前記滑りガイド手段８１が、前記係止穴４９の縁部４９ａから該係止穴４９の奥側へ連設された傾斜部８７であることを特徴とする。
【００１２】
このストライク構造では、滑りガイド手段８１の容易な加工形成が可能となるとともに、Ｒ部に比べ長いガイド面が形成可能となる。
【００１３】
請求項４記載のストライク構造は、前記滑りガイド手段８１が、前記係止穴４９の縁部４９ａから延出させた舌片部８５を該係止穴４９の奥側へ折り曲げた切り起こし片からなることを特徴とする。
【００１４】
このストライク構造では、係止穴４９の縁部４９ａを構成している同一部材を連続させて形成でき、別部材を付設した場合のような接続部や段部が生じず、連続した面をデッドボルト４７の先端角部４７ｃが滑るようになる。
【発明の効果】
【００１５】
本発明に係る請求項１記載のストライク構造によれば、外力によって係止板部が扉枠に接近する方向に変形可能なストライク構造において、デッドボルトの先端角部の摺接する滑りガイド手段を、係止穴の扉開放方向の縁部に設けたので、例えば地震発生時等、緊急に解錠と扉開放とが行われ、仮に僅かにデッドボルトの引き残りが発生していても、引き残りデッドボルトの先端角部が扉開動力によって滑りガイド手段に押圧され、係止板部は扉枠に接近する方向へ変位が促され、すなわち扉枠との間隔が拡がることとなり、扉の開放方向への移動、つまり扉の開放が可能となる。また同時に、デッドボルトが錠箱内へ後退する方向へ押し込められることにもなる。したがって、従来のようにデッドボルト先端角部が、角状の係止穴の縁部に噛み、扉の開放が不能となる事態を防止することができる。この結果、緊急時の解錠動作に伴う、扉開放性能の信頼性を向上させることができる。
【００１６】
請求項２記載のストライク構造によれば、滑りガイド手段が、係止穴の縁部から係止穴の奥側へ連設された凸湾曲部であるので、引き残りとなったデッドボルトの先端角部が、凸湾曲部（Ｒ部）に押圧されることで、滑りガイド手段が傾斜面である場合よりも円滑な先端角部の滑りを実現させることができ、噛み込みを生じ難くできる。
【００１７】
請求項３記載のストライク構造によれば、滑りガイド手段が、係止穴の縁部から係止穴の奥側へ連設された傾斜部であるので、容易に加工形成することが可能となるとともに、Ｒ部に比べ長いガイド面が容易に形成可能となる。
【００１８】
請求項４記載のストライク構造によれば、滑りガイド手段が、係止穴の縁部から延出させた舌片部を係止穴の奥側へ折り曲げた切り起こし片からなるので、同一部材を連続させて形成でき、別部材を付設した場合のように接続部がなく、高強度で円滑な滑りを可能にすることができる。
【発明を実施するための最良の形態】
【００１９】
以下、本発明に係るストライク構造の好適な実施の形態を図面を参照して詳細に説明する。
図１は本発明に係るストライク構造の外観斜視図、図２は図１に示したストライク本体及び塞ぎ部材の分解斜視図、図３は図１に示したストライク構造の縦断面図、図４は図３のＡ−Ａ矢視図、図５は図４のストライク本体及び塞ぎ部材を除いた正面図、図６は図４のＢ−Ｂ矢視図、図７は滑りガイド手段が傾斜部となった変形例の断面図である。
本発明に係るストライク構造は、扉に設けられた錠箱から進出するデッドボルトを進入させる係止穴の穿設された係止板部が、扉枠の扉木口に対向する面から浮上するように嵩上げされ、外力によって係止板部が扉枠に接近する方向に変形可能なストライクに適用される。以下にこのような構成を有するストライク１００の例を説明するが、本発明は、以下の例に限定されるものではなく、上記のような変形機能を有するストライクであれば如何なる構成のものに適用されてもよい。
【００２０】
本実施の形態によるストライク１００は、図１、図２に示すストライク本体２１と、一対の塞ぎ部材２３ａ，２３ｂとを備える。図３に示すように、扉枠２５には凹状の収容空間２７を有するトロヨケ２９が、上下の固定フランジ部２９ａ，２９ｂを介してビス３１により固定される。このトロヨケ２９の内部には、略相似形に形成された箱状の可動部材３３が、後退間隙３５を有して収容されている。
【００２１】
可動部材３３の長手方向（図３の上下方向）両端には略箱状に形成された一対の補強部材３７ａ，３７ｂが収容されている。補強部材３７ａ，３７ｂは、可動部材３３の上端及び下端から挿入された固定ビス３９により、可動部材３３の内で固定される。可動部材３３の上部、下部にはビス３９，３９を介して位置規制部材４１，４１が共締めされ、位置規制部材４１，４１は先端をトロヨケ２９の内部天井面、及び底面に当接することで、可動部材３３をトロヨケ２９の上下方向中央に位置規制している。
【００２２】
可動部材３３及びそれぞれの補強部材３７ａ，３７ｂの側面には係合穴４３が穿設され、係合穴４３にはトロヨケ２９の両側面から内方に向けて突出した４つの突起４５が挿入されている。これにより、可動部材３３は、後退間隙３５を縮める方向への移動が可能となるとともに、トロヨケ２９からの脱落が規制されている。
【００２３】
図１に示したストライク本体２１と塞ぎ部材２３ａ，２３ｂは、扉枠２５の框延在方向に沿って長い矩形状で形成される。ストライク本体２１は、図示しない扉に設けられた錠箱から進出するデッドボルト４７を進入させる係止穴４９の穿設された係止板部５１を有する。ストライク本体２１は、長手方向両端に連設された傾斜当接片部５３，５３によって、係止板部５１が扉枠２５から浮上するように嵩上げされて配置される。係止板部５１と一対の傾斜当接片部５３，５３とは、ステンレス等の板金材によって一体形成される。
【００２４】
一対の塞ぎ部材２３ａ，２３ｂは、ストライク本体２１に固着され、係止板部５１が嵩上げされることにより形成された係止板部両長辺側の開口空間５５を塞ぐ。一対の塞ぎ部材２３ａ，２３ｂの少なくとも一方２３ａは、好ましくは扉の開く方向の面側となる一方は、係止板部５１から扉枠２５に下る傾斜面５７で形成されている。
【００２５】
この一対の塞ぎ部材２３ａ，２３ｂは、図２に示すように、本実施の形態では一対の連結部５９，５９を介して樹脂材により一体的に連結されて成形される。樹脂材としては、例えばＡＡＳなどの耐候性・耐衝撃性を有する合成樹脂を好適に用いることができる。このように、一対の塞ぎ部材２３ａ，２３ｂを、連結部５９を介して一体的に連結成形することで、一対の塞ぎ部材２３ａ，２３ｂを一体の一部品で成形でき、部品点数を少なくすることができる。また、傾斜面５７となる一方の塞ぎ部材２３ａの傾斜面頂部６１が連結部５９を介して他方の塞ぎ部材２３ｂに支持されるので、変形時には一方の塞ぎ部材２３ａが傾斜角度を小さくするように変形して平坦に展開され、係止板部５１の変形を阻害しない。
【００２６】
連結部５９には複数、本実施の形態では２つの凸部６３が突設され、上下一対の両連結部５９にて凸部６３が４つ突設される。ストライク本体２１には各凸部６３が嵌入する複数、本実施の形態では４つの貫通固定孔６５が穿設される。ストライク本体２１と塞ぎ部材２３ａ，２３ｂは、貫通固定孔６５に嵌入させた凸部６３を加締めて一体に固着される。このように、貫通固定孔６５に嵌入させた凸部６３を加締め、塞ぎ部材２３ａ，２３ｂをストライク本体２１に固着することで、ストライク本体２１と塞ぎ部材２３ａ，２３ｂとの固着構造が簡素となるとともに、固定部を点在させることができ、変形時における係止板部５１への拘束力を小さくして、係止板部５１の変形を阻害しないようにできる。
【００２７】
また、図２に示すように、ストライク本体２１の外縁２１ａが接する塞ぎ部材２３ａ，２３ｂの縁部には、ストライク本体２１の外縁２１ａの裏面側を当接支持する段部６７が設けられている。このように、ストライク本体２１の外縁２１ａが接する塞ぎ部材２３ａ，２３ｂの縁部に、外縁２１ａを当接支持する段部６７を設けることで、係止板部５１が扉枠２５に接近する方向に変形する際、係止板部５１の変位に追従して外縁２１ａによって段部６７が押圧される。これにより、塞ぎ部材２３ａ，２３ｂが変形し、特に傾斜面５７となった一方の塞ぎ部材２３ａは、傾斜下縁が外方向に滑ることとなって、傾斜角度を小さくするように変形して略平坦に展開され、係止板部５１の変形を阻害しなくなる。
【００２８】
一体に固着されたストライク本体２１と塞ぎ部材２３ａ，２３ｂは、ストライク本体２１に穿設された固定孔６９，６９に、ビス７１，７１が挿入され、このビス７１，７１が補強部材３７ａ，３７ｂに設けられた図３に示すネジ孔７３，７３に螺合することで、可動部材３３に固定される。可動部材３３に固定されたストライク本体２１は、図４に示す係止穴４９が、可動部材３３の図５に示す係止穴７５に一致する。
【００２９】
ストライク本体２１が可動部材３３に螺着固定された状態で、図３に示すように、ストライク本体２１の傾斜当接片部５３の下端は、扉枠２５に当接する。また、図６に示すように、塞ぎ部材２３ａ，２３ｂの下端も扉枠２５に当接する。これにより、一体となったストライク本体２１及び可動部材３３は、扉枠２５から離反する方向の移動が突起４５により規制されるとともに、扉枠２５に接近する方向の移動が傾斜当接片部５３及び塞ぎ部材２３ａ，２３ｂによって規制されている。そして、この状態で、可動部材３３は、略半部がトロヨケ２９内に位置し、ストライク本体２１と螺着固定されている側の略半部が扉枠２５より突出して、その突出部分の周囲を、ストライク本体２１の傾斜当接片部５３と塞ぎ部材２３ａ，２３ｂとで覆うようになる。また、この状態では、図３に示すようにデッドボルト４７が進出している状態でストライク本体２１の係止穴４９のみではなく、可動部材３３内にも位置することとなる。
【００３０】
図３に示すように、デッドボルト４７は、略角柱形状であり、先端面４７ａと、扉開放側の側面４７ｂとに挟まれる隅部が先端角部４７ｃとなる。一方、ストライク本体２１には、側面４７ｂに対向する係止穴４９の縁部４９ａに滑りガイド手段８１が設けられている。本実施の形態において、滑りガイド手段８１は、係止穴４９の縁部４９ａから係止穴４９の奥側へ連設された凸湾曲部（Ｒ部）８３となる。凸湾曲部８３は、引き残りとなったデッドボルト４７の先端角部４７ｃが押圧された際、平坦な傾斜面である場合よりも円滑な先端角部４７ｃの滑りを実現させることができ、噛み込みを生じ難くしている。
【００３１】
滑りガイド手段８１は、係止穴４９の縁部４９ａから延出させた図６に示す舌片部８５を、係止穴４９の奥側へ折り曲げた切り起こし片によって形成することができる。このような切り起こし構造とすれば、係止穴４９の縁部４９ａを構成している同一部材を連続させて形成でき、別部材を付設した場合のような接続部や段部が生じない。これにより、滑りガイド手段８１の高強度で円滑な滑りを可能にしている。
【００３２】
なお、滑りガイド手段８１は、この他、図７に示すように、係止穴４９の縁部４９ａから係止穴４９の奥側へ連設された傾斜部８７であってもよい。このような傾斜部８７による滑りガイド手段８１とすれば、容易に加工形成することが可能となるとともに、Ｒ部に比べ長いガイド面が容易に形成可能となる。
【００３３】
次に、上記のように構成されたストライク構造の作用を説明する。
図８は外力によりストライク本体及び塞ぎ部材が変形した状態の縦端面図、図９は図８のＣ−Ｃ矢視における先端角部当接状態を（ａ）、扉開放状態を（ｂ）に表した動作説明図である。
上記のストライク１００の取り付けられた扉枠２５が、地震等により変形し、扉枠２５と扉木口２６、或いは扉枠２５と扉付設の面付け錠２８との間隔を狭める変形が生じた場合、ストライク１００のストライク本体２１には、扉枠２５に接近する方向の圧力が加わる。
【００３４】
ストライク１００では、このような外力が加わると、先ず、ストライク本体２１の傾斜当接片部５３が傾斜角度を小さくする方向に、すなわち拡がるように、略平坦に展開されて変形する。これにより、扉枠２５からの嵩上げ寸法Ｈが縮められることとなる。
【００３５】
また、この際同時にストライク本体２１と一体となった塞ぎ部材２３ａ，２３ｂも、傾斜面５７の角度が小さくなる方向に、略平坦に変形展開される。また、これらのストライク本体２１及び塞ぎ部材２３ａ，２３ｂの変形変位に応じ、可動部材３３は、凸部６３に対して係合穴４３が移動することで、トロヨケ２９の後退間隙３５を縮める方向に押し込められることとなる。
【００３６】
このように、ストライク１００では、面積の大きい開口空間５５が強度の小さい樹脂材により塞がれ、開口空間５５を塞ぐ塞ぎ部材２３ａ，２３ｂが容易に変形することで係止板部５１の扉枠２５に接近する方向の変形を阻害することがない。また、塞ぎ部材２３ａ，２３ｂの一方が傾斜面５７で形成され、図示しないラッチボルトを後退させるための反力が付与可能になるとともに、係止板部５１の変形時には、一方の塞ぎ部材２３ａが傾斜角度を小さくするように変形して平坦に展開され、係止板部５１の変形を阻害することがない。この結果、見栄えの向上と、地震発生時におけるクリアランス確保機能の信頼性向上とを同時に達成することができる。
【００３７】
一方、地震発生時等において、扉枠２５が未だ変形していない、或いは、未だ大きく変形していない場合であっても、解錠操作と、扉９１の開動とが同時に行われ、引き残りが発生すると、図９（ａ）に示すように、デッドボルト４７の先端角部４７ｃが、滑りガイド手段８１の凸湾曲部８３に当接する。この状態で、扉９１が開動されると、デッドボルト４７の先端角部４７ｃが扉開動力によって凸湾曲部８３を押圧する。これにより、塞ぎ部材２３ａ，２３ｂは扉枠２５に接近する方向へ変位が促され、展開方向に変形することとなる。また、同時に、デッドボルト４７を錠箱内へ後退する方向に押し込む力も発生する。そして、図９（ｂ）に示すように、扉９１は開放となる。
【００３８】
このように、上記のストライク１００によれば、外力によって係止板部５１が扉枠２５に接近する方向に変形可能なストライク構造において、デッドボルト４７の先端角部４７ｃの摺接する滑りガイド手段８１を、係止穴４９の縁部４９ａに設けたので、例えば地震発生時等、緊急に解錠と扉開放とが行われ、仮に僅かにデッドボルト４７の引き残りが発生していても、引き残りデッドボルト４７の先端角部４７ｃが扉開動力によって滑りガイド手段８１に押圧され、係止板部５１は扉枠２５に接近する方向へ変位が促されることとなる。また、同時に、デッドボルト４７が錠箱内へ後退する方向へ押し込められることにもなる。したがって、従来のようにデッドボルト先端角部４７ｃが、角状の係止穴の縁部に噛み、扉９１の開放が不能となる事態を防止することができる。この結果、扉９１は開放可能となり、緊急時の解錠動作に伴う、扉開放性能の信頼性を向上させることができる。
【００３９】
なお、上記の実施の形態では、ストライク本体２１と塞ぎ部材２３ａ，２３ｂとを凸部６３の加締めにより固着する例を説明したが、ストライク本体２１と塞ぎ部材２３ａ，２３ｂとは、加締め以外に、ビスによる螺着、接着剤による接着、凸部６３を溶融変形させる溶着、或いはストライク本体２１を塞ぎ部材２３ａ，２３ｂによって覆うように被せる被着であってもよい。
【００４０】
また、本発明に係るストライク構造は、錠箱が扉に内設される扉内設錠、或いは錠箱が扉面に表出して取り付けられる面付け錠の何れにも適して同様の効果を奏するものである。
【図面の簡単な説明】
【００４１】
【図１】本発明に係るストライク構造の外観斜視図である。
【図２】図１に示したストライク本体及び塞ぎ部材の分解斜視図である。
【図３】図１に示したストライク構造の縦断面図である。
【図４】図３のＡ−Ａ矢視図である。
【図５】図４のストライク本体及び塞ぎ部材を除いた正面図である。
【図６】図４のＢ−Ｂ矢視図である。
【図７】滑りガイド手段が傾斜部となった変形例の断面図である。
【図８】外力によりストライク本体及び塞ぎ部材が変形した状態の縦端面図である。
【図９】図８のＣ−Ｃ矢視における先端角部当接状態を（ａ）、扉開放状態を（ｂ）に表した動作説明図である。
【図１０】従来の対震ストライクの斜視図である。
【符号の説明】
【００４２】
２５…扉枠
４７…デッドボルト
４７ａ…先端面
４７ｂ…側面
４７ｃ…先端角部
４９…係止穴
４９ａ…係止穴の縁部
５１…係止板部
８１…滑りガイド手段
８３…凸湾曲部
８５…舌片部
８７…傾斜部
９１…扉
１００…ストライク
【図１】
2007321502.tif 000003
【図２】
2007321502.tif 000004
【図３】
2007321502.tif 000005
【図４】
2007321502.tif 000006
【図５】
2007321502.tif 000007
【図６】
2007321502.tif 000008
【図７】
2007321502.tif 000009
【図８】
2007321502.tif 000010
【図９】
2007321502.tif 000011
【図１０】
2007321502.tif 000012